(57)【要約】【課題】  商品に取り付けられたＩＣタグの商品情報を移動体通信機器により読み取り、読み取った商品情報を基に商品の料金の支払いをする事ができる、ＩＣタグ読取り機能付き移動体通信機器およびその料金支払いシステムを提供する。【解決手段】  ＩＣタグ読取り機能付き移動体通信機器２０が、商品５２に取り付けられたＩＣタグ１０に貼付あるいは埋め込まれたＩＣチップ１０ａに予め記憶されている商品情報を読み取る。ＩＣタグ読取り機能付き移動体通信機器２０さえ所有していれば、商品５２の商品情報をＩＣタグ読取り機能付き移動体通信機器２０に読み取らせ、読み取った商品情報等を基に、クレジット会社６０の信用情報の審査が受けられ、商品５２の購入を容易に行うことができる。【選択図】      図１
2005092313.tif 000002
【特許請求の範囲】
【請求項１】
特定の電話番号を配布され通信機能を有した移動体通信機器が、商品に取り付けられたＩＣタグに貼付あるいは埋め込まれたＩＣチップに予め記憶されている商品情報を読み取るＩＣチップ読取部と、該ＩＣチップ読取部で商品情報を読み取ると商品購入モードに入り、読み取った商品情報および当該商品を購入するか否かの指示情報を表示する表示部と、該表示部に表示された商品情報を確認して当該商品の購入操作を継続させる購入指示操作部とを備えており、前記ＩＣタグ読取り機能付き移動体通信機器の所有者が前記購入指示操作部により商品の購入意思の確認操作をすることにより、当該商品の販売を管理しているＰＯＳ端末等へ当該ＩＣタグ読取り機能付き移動体通信機器に配布された電話番号と共に当該商品のＩＣタグから読み取った商品情報を送信することを特徴とするＩＣタグ読取り機能付き移動体通信機器。
【請求項２】
前記ＩＣタグ読取り機能付き移動体通信機器は、当該ＩＣタグ読取り機能付き移動体通信機器の所有者が加入する少なくとも一つのクレジット会社の情報を記憶しており、当該クレジット会社の情報を前記ＰＯＳ端末等へ送信する機能を備えたことを特徴とする請求項１記載のＩＣタグ読取り機能付き移動体通信機器。
【請求項３】
商品の購入意思の確認操作によりＰＯＳ端末等へ送信された商品情報とＩＣタグ読取り機能付き移動体通信機器に配布された電話番号は、前記ＰＯＳ端末等によって前記クレジット会社に送信され、該クレジット会社が前記ＩＣタグ読取り機能付き移動体通信機器の所有者による前記商品の購入が可能か否かの信用情報の審査をすることにより、前記商品の販売が許可されたことを確認した後に、販売処理許可情報をＰＯＳ端末等に送信するようにしたことを特徴とする請求項２記載のＩＣタグ読取り機能付き移動体通信機器を用いた料金支払いシステム。
【請求項４】
商品に取り付けられたＩＣタグに貼付あるいは埋め込まれたＩＣチップに予め記憶されている商品情報をＩＣタグ読取り機能付き移動体通信機器のＩＣチップ読取部により読み取り、該ＩＣチップ読取部で読取られた商品情報の内容をＩＣタグ読取り機能付き移動体通信機器の表示部に表示し、該表示部に表示された商品情報をＩＣタグ読取り機能付き移動体通信機器の操作部により商品の購入意思の確認操作をし、ＰＯＳ端末に購入意思の確認操作した商品情報および本人情報を送信し、送信された商品情報および本人情報を前記ＰＯＳ端末よりクレジット会社に送信し、商品情報および本人情報を受信した前記クレジット会社が前記商品の販売が可能か否かの信用情報の審査をすることにより前記商品の販売が許可されたことを確認した後に、販売処理許可情報が前記クレジット会社から前記ＰＯＳ端末に送信されて該ＰＯＳ端末の表示部に販売処理許可情報が表示され、当該商品を販売店外への持ち出し許可処理する機能を備えたことを特徴とするＩＣタグ読取り機能付き移動体通信機器を用いた料金支払いシステム。
【発明の詳細な説明】
【技術分野】
【０００１】
本発明は、商品に付されたＩＣタグの商品情報を読み取り可能としたＩＣタグ読取り機能付き移動体通信機器に関するものである。
また、本発明は、購入した商品の料金支払い処理を可能とし、店外への商品の持ち出しを可能とするＩＣタグ読取り機能付き移動体通信機器を用いた料金支払いシステムに関するものである。
【背景技術】
【０００２】
従来から、無線を利用して、小型で持ち運びができる移動体通信機器としての携帯電話機が、子供から高齢者まで多くの人に利用され一般的に普及している。
【０００３】
このような携帯電話機には、各々の人が、通信ネットワーク上で、文字や画像などのデータを送受信するメール機能や、デジタル画像を取り込むカメラ機能、インターネット機能など、多種類の機能が備えられている。しかし、近年、このような携帯電話機は、一部では二次元バーコード等を用いて入場券に代替されるものととして用いられたり、自動販売機での商品販売に用いられたりしているものの、まだまだ主には、会話のためやメールなどのデジタルデータの送受信、或いは、デジタルカメラとしての機能が多くの人に利用されているに過ぎない。
【０００４】
また、このような携帯電話は、他人との連絡がいつでも容易に取れるように、外出する際にも、ほとんどの人が持って行動することが多く、急な連絡を取りたい場合には相手に即連絡することができ、なくてはならない日常品として利用されている。
【０００５】
ところで、従来から利用されているクレジットカードは、現在年間２億枚あまりが発行され、多くの人に利用されている。このようなクレジットカードは、予めクレジット会社と契約を交わすことによって発行され、現金を持ち合わせていなくても、使用限度額の範囲内で、一般の人が手軽に買い物を行うことができ、日常的にカードを利用して買い物が行われている。
【０００６】
しかし、前記クレジットカードは、通常財布に入れっ放しにしていることが多く、例えば、買い物をする予定がないということで財布を持って出かけなければ、出先でどうしても必要な商品が店頭で見つかったとしても、その場ですぐにその商品を購入することはできず、商品を購入するタイミングを逸してしまうようなことがあった。
【０００７】
また、通常、個人として契約しているクレジットカードは、単一のクレジット会社に対しても２〜３枚のカードがあり、しかも複数のクレジット会社と契約しているのが一般的である。となると、一人で十数枚のカードを持ち歩き、それ等を使い分ける必要性が出てくる。
【発明の開示】
【発明が解決しようとする課題】
【０００８】
本発明は上述した問題点を解決するものであり、携帯電話機などの移動体通信機器に、販売されている商品に取り付けられているＩＣタグの読取機能及びＰＯＳ端末との通信機能を備えることによって、カードや現金を持ち合わせていなくても、容易に商品を購入することができるＩＣタグ読取り機能付き移動体通信機器と、それを用いた料金支払いシステムを提供することを目的とする。
【課題を解決するための手段】
【０００９】
請求項１の発明のＩＣタグ読取り機能付き移動体通信機器は、特定の電話番号を配布され通信機能を有した移動体通信機器が、商品に取り付けられたＩＣタグに貼付あるいは埋め込まれたＩＣチップに予め記憶されている商品情報を読み取るＩＣチップ読取部と、該ＩＣチップ読取部で商品情報を読み取ると商品購入モードに入り、読み取った商品情報および当該商品を購入するか否かの指示情報を表示する表示部と、該表示部に表示された商品情報を確認して当該商品の購入操作を継続させる購入指示操作部とを備えており、前記ＩＣタグ読取り機能付き移動体通信機器の所有者が前記購入指示操作部により商品の購入意思の確認操作をすることにより、当該商品の販売を管理しているＰＯＳ端末等へ当該ＩＣタグ読取り機能付き移動体通信機器に配布された電話番号と共に当該商品のＩＣタグから読み取った商品情報を送信するものである。
【００１０】
上記構成によれば、販売されている商品の商品情報を、ＩＣタグ読取り機能付き移動体通信機器によって読み取って商品を購入することができるので、読み取った商品情報に基づき正確に商品情報を把握し販売処理をすることができる。また、ＰＯＳ端末に商品情報および電話番号が送信されるので、ＰＯＳ端末により売れ筋商品等の動向を見極めることができる。
【００１１】
請求項２の発明のＩＣタグ読取り機能付き移動体通信機器は、前記ＩＣタグ読取り機能付き移動体通信機器が、当該ＩＣタグ読取り機能付き移動体通信機器の所有者が加入する少なくとも一つのクレジット会社の情報を記憶しており、当該クレジット会社に登録してある暗証番号等の情報を前記ＰＯＳ端末等へ送信する機能を備えたものである。
【００１２】
上記構成によれば、複数のクレジット会社の情報がＩＣタグ読取り機能付き移動体通信機器に予め記憶されているので、その内の一つのクレジット会社を選択して暗証番号等の信用情報を送信することができるので、多くのクレジットカードを持ち歩く必要がなく、簡単に信用性の高いＩＣタグ読取り機能付き移動体通信機器が提供できる。
【００１３】
請求項３の発明のＩＣタグ読取り機能付き移動体通信機器を用いた料金支払いシステムは、商品の購入意思の確認操作によりＰＯＳ端末等へ送信された商品情報とＩＣタグ読取り機能付き移動体通信機器に配布された電話番号は、前記ＰＯＳ端末等によってクレジット会社に送信され、該クレジット会社が前記ＩＣタグ読取り機能付き移動体通信機器の所有者による前記商品の購入が可能か否かの信用情報の審査をすることにより、前記商品の販売が許可されたことを確認した後に、販売処理許可情報をＰＯＳ端末等に送信するようにしたものである。
【００１４】
上記構成によれば、クレジット会社により商品の購入が可能か否かの信用調査がされた後に、商品の販売が許可されたことを確認した販売処理許可情報がＰＯＳ端末により受信されることにより、商品の販売を管理しているＰＯＳ端末においても、ＩＣタグ読取り機能付き移動体通信機器の所有者の販売処理許可情報を把握することができる。
【００１５】
請求項４の発明のＩＣタグ読取り機能付き移動体通信機器を用いた料金支払いシステムは、商品に取り付けられたＩＣタグに貼付あるいは埋め込まれたＩＣチップに予め記憶されている商品情報をＩＣタグ読取り機能付き移動体通信機器のＩＣチップ読取部により読み取り、該ＩＣチップ読取部で読取られた商品情報の内容をＩＣタグ読取り機能付き移動体通信機器の表示部に表示し、該表示部に表示された商品情報をＩＣタグ読取り機能付き移動体通信機器の操作部により商品の購入意思の確認操作をし、ＰＯＳ端末に購入意思の確認操作した商品情報および本人情報を送信し、送信された商品情報および本人情報を前記ＰＯＳ端末よりクレジット会社に送信し、商品情報および本人情報を受信した前記クレジット会社が前記商品の販売が可能か否かの信用情報の審査をすることにより前記商品の販売が許可されたことを確認した後に、販売処理許可情報が前記クレジット会社から前記ＰＯＳ端末に送信されて該ＰＯＳ端末の表示部に販売処理許可情報が表示され、当該商品を販売店外に持ち出し許可処理する機能を備えたものである。
【００１６】
上記構成によれば、ＩＣタグ読取り機能付き移動体通信機器さえ所有していれば、商品の商品情報をＩＣタグ読取り機能付き移動体通信機器に読み取らせ、読み取った商品情報等を基に、クレジット会社の信用情報の審査が受けられ、商品の購入を容易に行うことができる。
【発明の効果】
【００１７】
請求項１の発明によれば、販売されている商品の商品情報を、ＩＣタグ読取り機能付き移動体通信機器によって読み取って商品を購入することができるので、読み取った商品情報に基づき正確に商品情報を把握し販売処理をすることができる。また、ＰＯＳ端末に商品情報および電話番号が送信されるので、ＰＯＳ端末により売れ筋商品等の動向を見極めることができる。
【００１８】
請求項２の発明によれば、複数のクレジット会社の情報がＩＣタグ読取り機能付き移動体通信機器に予め記憶されているので、その内の一つのクレジット会社を選択して暗証番号等の信用情報を送信することができるので、多くのクレジットカードを持ち歩く必要がなく、簡単に信用性の高いＩＣタグ読取り機能付き移動体通信機器が提供できる。
【００１９】
請求項３の発明によれば、クレジット会社により商品の購入が可能か否かの信用調査がされた後に、商品の販売が許可されたことを確認した販売処理許可情報がＰＯＳ端末により受信されることにより、商品の販売を管理しているＰＯＳ端末においても、ＩＣタグ読取り機能付き移動体通信機器の所有者の販売処理許可情報を把握することができる。
【００２０】
請求項４の発明によれば、ＩＣタグ読取り機能付き移動体通信機器さえ所有していれば、商品の商品情報をＩＣタグ読取り機能付き移動体通信機器に読み取らせ、読み取った商品情報等を基に、クレジット会社の信用情報の審査が受けられ、商品の購入を容易に行うことができる。
【発明を実施するための最良の形態】
【００２１】
以下、本発明のＩＣタグ読取り機能付き移動体通信機器と、その移動体通信機器を用いた料金支払いシステムの一実施例を図１〜図２を参照しながら説明する。
【００２２】
図１は本実施例におけるＩＣタグ読取り機能付き移動体通信機器を用いた料金支払いシステムを示す概略図である。７０はＩＣタグ読取り機能付き移動体通信機器を用いた料金支払いシステムであり、少なくとも後述するＩＣタグ読取り機能付き移動体通信機器、店舗用ＰＯＳ端末、選択されたクレジット会社により構成される。
【００２３】
また、図２は本実施例におけるＩＣタグ読取り機能付き移動体通信機器２０を示す構成図であり、特定の電話番号を配布され通信機能を有したＩＣ読取機能付き移動体通信機器である。このＩＣタグ読取り機能付き移動体通信機器２０は、図１および図２に示すように、商品に取り付けられたＩＣタグ１０に貼付あるいは埋め込まれたＩＣチップ１０ａに予め記憶されている商品情報などを読み取るためのＩＣチップ読取部３０と、このＩＣチップ読取部３０で読み取った商品情報を編集する編集部（図示なし）と、ＩＣチップに記録された商品情報の内容および商品を購入するか否かの指示情報を表示する表示部３２と、この表示部３２に表示された商品情報を確認して商品の購入操作を継続させる操作部３３と、ＩＣチップから読取られた商品情報およびＩＣタグ読取り機能付き移動体通信機器２０に配布された電話番号を後述するＰＯＳ端末へ送信制御しする通信制御部３４と、前記表示部３２に表示する内容を制御する表示制御部３５と、各種の制御を行う各種制御部（図示なし）等から成る制御部３８と、ＩＣタグ読取り機能付き移動体通信機器に電気供給する電源部４０とを有している。
【００２４】
また、ＩＣタグ読取り機能付き移動体通信機器２０の制御部３８は、図２に示すように、ＩＣチップ読取部３０、編集部（図示なし）、表示部３２、操作部３３、およびＩＣチップ１０ａから読取った商品情報等を記録・蓄積する書き換え可能なメモリ３９がそれぞれバス３１を介して接続されている。
【００２５】
前記ＩＣタグ１０は販売店などに陳列されている商品５２に取り付けられるもので、このＩＣタグ１０内に有するＩＣチップ１０ａは、折り曲げなどによる外部から力を加えても壊れることはないように、１ｍｍ角以下の大きさで、極めて小さい粉末状のものであり、ＩＣチップ１０ａに商品情報を記録して、読取りを無線通信により行うものが適切である。なお、本実施例におけるＩＣチップ１０ａの大きさは、一辺が０．４ｍｍの正方形型をしており、厚さが０．０６ｍｍである。
【００２６】
前記ＩＣチップ１０ａは粉末状ＩＣ（集積回路）チップからなるもので、この粉末状のＩＣチップ１０ａは最大３８桁の数字を記録することが可能であり、１２８ビットのＲＯＭ（Ｒｅａｄ  Ｏｎｌｙ  Ｍｅｍｏｒｙ；読み出し専用メモリ）を備えている。
【００２７】
ＩＣチップ１０ａに記録される商品情報は、例えば、商品のＩＤ番号，商品の価格，製造メーカ名，商品名，素材種別，製造年月日，製造番号，付帯情報，商品仕様などの情報が記録される。
【００２８】
図１に示す５０はＰＯＳ端末であり、このＰＯＳ端末５０と前記ＩＣタグ読取り機能付き移動体通信機器２０とは、図１に示すようにＩＣチップ読取部３０で読取られた商品情報等を、無線電波を利用する通信回線を経由して送受信可能としている。
【００２９】
なお、ＩＣタグ読取り機能付き移動体通信機器２０は、移動体通信機器２０の所有者が、操作部３３によって商品５２の購入意思の確認操作をすることにより、商品５２の販売を管理しているＰＯＳ端末５０へ、移動体通信機器２０に配布された個人情報としての電話番号を商品５２のＩＣタグ１０から読み取った商品情報と共に送信し、それら個人情報としての電話番号および商品情報はＰＯＳ端末５０等を介して選択されたクレジット会社に送信される。そして、クレジット会社が、登録されてある個人情報としての電話番号から移動体通信機器２０の所有者の信用情報の審査をし、信用情報の審査に基づき商品の販売が許可されたことを確認した後に、販売処理許可情報をＰＯＳ端末５０に送信する。クレジット会社の選択は、ＰＯＳ端末５０を操作する店員等の操作によっても良いし、移動体通信機器２０の所有者によって任意に選択させても良い。
【００３０】
なお、前記ＩＣタグ読取り機能付き移動体通信機器２０は、移動体通信機器２０の所有者が加入する複数のクレジット会社の情報を記憶しており、これらのクレジット会社に登録してある暗証番号を送信する機能を有しても良い。なお、暗証番号は、移動体通信機器２０の操作部３３により入力するもので、移動体通信機器２０の所有者が暗証番号を入力後、送信された暗証番号がクレジット会社の認証を得られた場合には、クレジット会社は移動体通信機器２０の所有者の信用情報の審査を行う。一方、暗証番号の入力により認証を得られない場合、例えば、移動体通信機器２０の所有者以外の者が不正に移動体通信機器２０を使用した際は、販売許可の情報を送信することはない。
【００３１】
また、図３に示すように販売店５１に設置されているＰＯＳ端末５０は、通信回線を経由して、商品５２を購入しようとする人であるＩＣタグ読取り機能付き移動体通信機器２０の所有者の信用情報の審査を行うクレジット会社６０と通信回線が接続がされており商品情報などの情報が送受信が可能となっている。クレジット会社は、商品５２を購入しようとする人の電話番号、商品情報、暗証番号、信用情報などの審査および確認等を行う機関である。
【００３２】
上述したようにクレジット会社は、商品５２を購入しようとする人の信用情報などを確認して、商品の購入が可能か否かの一定の要件を審査するための信用情報確認手段を有しており、信用情報確認手段によって商品５２を購入しようとする人が商品５２を購入することが出来るか否かの一定の要件を判断し、商品５２を購入することに問題がないとなれば、クレジット会社から販売店５１に設置されているＰＯＳ端末５０に、移動体通信機器２０の所有者へ商品の販売を許可する情報である販売処理許可情報が送信され、このＰＯＳ端末５０から購入する商品５２の販売処理許可情報が、ＰＯＳ端末５０に対して表示され、移動体通信機器２０に送信されその表示部３２へも表示される。
【００３３】
従って、本実施例においては、商品を購入しようとしている人が図３に示す精算レジ５３に商品を持って行った際は、ＩＣタグ読取り機能付き移動体通信機器２０で読取った商品５２の商品情報及び移動体通信機器２０の所有者の信用情報などが、移動体通信機器２０からＰＯＳ端末５０を介してクレジット会社６０へ送信される。そして、信用情報などの審査が行われた後、審査要件をクリアーした場合は、クレジット会社６０からＰＯＳ端末５０及び移動体通信機器２０の表示部３２へ商品５２の販売処理許可情報が表示されることとなる。
【００３４】
一方、信用情報などの審査が行われた後、審査要件をクリアーしなかった際は、クレジット会社６０からＰＯＳ端末５０及びＰＯＳ端末５０を介して商品５２を購入しようとした人の移動体通信機器２０の表示部３２へ商品５２の購入できないことが表示される。
【００３５】
次に、ＩＣタグ読取り機能付き移動体通信機器の料金支払いシステム７０の全体について、図３及び図４を参照しながら説明する。図３は、本実施例における販売店等を示す概略図である。
【００３６】
同図に示すように、販売店５１には商品５２が商品棚５３に並べられている。そして、販売店５１の入口５５および出口５６付近には検知センサー５４が設けられている。この検知センサー５４は、販売店５１に入店する人の所持しているＩＣタグ読取り機能付き移動体通信機器２０の電波を検知することができる。また、ＩＣタグ１０の取り付けられている商品５２が、販売店５１から購入処理せずに持ち出されようとする場合、いわゆる盗難時において、入口５５および出口５６にある検知センサーより商品５２が販売店から勝手に持ち出されることを検知し、販売店５１の店員に図示しない警報ブザーなどにより知らせる。
【００３７】
また、販売店５１の出口５６付近には、精算レジ５３が設けられており、販売店５１内の仕切られた奥の部屋には、ＰＯＳ端末５０が設置されている。そして、販売店５１とは別の箇所には、前述したクレジット会社６０がある。販売店５１に設置されているＰＯＳ端末５０は、通信回線を経由してクレジット会社６０とデータの送受信が可能となっている。
【００３８】
また、図４は本実施例における料金支払方法を示すフローチャート図である。同図に示すように、ステップＳ１でＩＣタグ読取り機能付き移動体通信機器２０を所持した人が販売店５１の入口５５より入店すると、ステップＳ２において、入口付近に設けられた検知センサー５４によりＩＣタグ読取り機能付き移動体通信機器２０を検知する。
【００３９】
そして、商品を購入しようとする人が、商品棚５３から所望の商品５２を選択し、ＩＣタグ１０の取り付けられた商品５２の近傍にＩＣタグ読取り機能付き移動体通信機器２０を近づけることにより、ＩＣタグ読取り機能付き携帯電話機２０にＩＣタグ１０の商品情報等が読み取られる（ステップＳ３）。
【００４０】
次に、ステップＳ４において、ＩＣタグ読取り機能付き移動体通信機器２０の表示部３２に、商品情報が表示される。そして、ステップＳ５で商品の購入を決めた場合は、次のステップＳ６で、商品を購入しようとする人であるＩＣタグ読取り機能付き移動体通信機器２０の所有者が商品５２を精算レジ５３へ持って移動し、ステップＳ７において、ＩＣタグ１０の商品情報、信用情報などの情報を精算レジ５３で読み取りを行うと、それらの情報をＩＣタグ読取り機能付き携帯電話機２０からＰＯＳ端末５０へ送信される。
【００４１】
次に、ステップＳ８では、ＰＯＳ端末５０から選択されたクレジット会社６０へＩＣタグ読取り機能付き移動体通信機器２０の所有者の信用情報の審査が行われる。そして、ステップＳ９で、商品を購入できるか否かをクレジット会社６０の審査において一定の要件をクリアーして問題がないとなれば、ステップＳ１０で、ＰＯＳ端末５０へ販売処理許可情報が送信され、移動体通信機器２０の表示部３２に販売処理許可情報が表示される。
【００４２】
そして、ステップＳ１１においては、販売店外に商品を持ち出す際には、ＰＯＳ端末５０の販売許可処理により、販売店５１の検知センサー５４が商品を検知しても警報ブザーが鳴らぬようにすることにより、商品情報を販売店外に持ち出し許可処理が行われ、商品を購入したＩＣタグ読取り機能付き携帯電話機２０の所有者は、商品を販売店外に持ち出せることとなる。
【００４３】
また、ステップＳ５において、ＩＣタグ読取り機能付き携帯電話機２０を商品に近づけても商品を購入しない場合は、商品棚５３へ商品５２を戻すこととなり、他の商品をＩＣタグ読取り機能付き携帯電話機２０に近づければ、他の商品のＩＤ情報が継続的に表示部３２に表示されることとなりステップＳ３に戻ることとなる。
【００４４】
また、ステップＳ９で、クレジット会社６０の信用情報の審査において、商品を購入できるか否かをクレジット会社にて審査され、この審査において一定の要件をクリアーできず、例えば、支払い限度額等で問題が有るとなれば、ステップＳ１２で、ＰＯＳ端末５０へ購入不可情報が送信され、ＩＣタグ読取り機能付き移動体通信機器２０の表示部３２に購入不可であることが表示されることとなる。
【００４５】
なお、商品の購入額の支払いは、後日、商品の購入者の銀行口座などから、クレジット会社との契約に基づき、商品購入額が引き落とされることは他のクレジットによる商品購入と同じである。
【００４６】
以上のように、本実施例のＩＣタグ読取り機能付き移動体通信機器２０は、特定の電話番号を配布され通信機能を有したＩＣタグ読取り機能付き移動体通信機器２０が、商品５２に取り付けられたＩＣタグ１０に貼付あるいは埋め込まれたＩＣチップ１０ａに予め記憶されている商品情報を読み取るＩＣチップ読取部３０と、このＩＣチップ読取部３０で読取られた商品情報および商品を購入するか否かの指示情報を表示する表示部３２と、この表示部３２に表示された商品情報を確認して商品５２の購入操作を継続させる操作部３３とを備えており、ＩＣタグ読取り機能付き移動体通信機器２０の所有者が操作部３３により商品５２の購入意思の確認操作をすることにより、商品５２の販売を管理しているＰＯＳ端末５０等へＩＣタグ読取り機能付き移動体通信機器２０に配布された個人情報としての電話番号を商品５２のＩＣタグ１０から読み取った商品情報と共に送信するものである。
【００４７】
上記構成によれば、販売されている商品５２の商品情報を、ＩＣタグ読取り機能付き移動体通信機器２０によって読み取ることができるので、ＩＣタグ読取り機能付き移動体通信機器２０の所有者がいちいちタグの目視により商品５２の価格等の商品情報を確認しなくても、読み取った商品情報に基づき正確に商品情報を把握することができる。また、ＰＯＳ端末に商品情報および電話番号が送信されるので、ＰＯＳ端末５０により売れ筋商品等の情報を見極めることができ、統計を取るのも容易である。
【００４８】
また、ＩＣタグ読取り機能付き移動体通信機器２０は、移動体通信機器２０が、所有者が加入する複数のクレジット会社６０の情報を記憶しており、クレジット会社６０に登録してある暗証番号を送信する機能を備えたものである。
【００４９】
上記構成によれば、クレジット会社６０の情報がＩＣタグ読取り機能付き移動体通信機器２０に予め記憶されているので、複雑な操作をしなくても、容易に暗証番号を送信することができるので操作性に優れる。
【００５０】
ＩＣタグ読取り機能付き移動体通信機器の料金支払いシステム７０は、商品５２の購入意思の確認操作によりＰＯＳ端末５０等へ送信された商品情報とＩＣタグ読取り機能付き移動体通信機器２０に配布された電話番号は、ＰＯＳ端末５０等によってクレジット会社６０に送信され、クレジット会社６０が移動体通信機器２０の所有者の商品５２の購入が可能か否かの信用情報の審査をすることにより、商品５２の販売が許可されたことを確認した後に販売処理許可情報をＰＯＳ端末５０等に送信するようにしたものである。
【００５１】
上記構成によれば、クレジット会社６０により商品５２の購入が可能か否かの信用調査がされた後に、商品５２の販売が許可されたことを確認した販売処理許可情報がＰＯＳ端末５０により受信されることにより、商品の販売を管理しているＰＯＳ端末５０においても、ＩＣタグ読取り機能付き移動体通信機器２０の所有者の販売処理許可情報を把握することができる。
【００５２】
また、ＩＣタグ読取り機能付き移動体通信機器の料金支払いシステム７０は、商品に取り付けられたＩＣタグ１０に貼付あるいは埋め込まれたＩＣチップ１０ａに予め記憶されている商品情報をＩＣタグ読取り機能付き移動体通信機器２０のＩＣチップ読取部３０により読み取り、ＩＣチップ読取部３０で読取られた商品情報の内容を移動体通信機器の表示部３２に表示し、表示部３２に表示された商品情報を移動体通信機器の操作部３３により商品の購入意思の確認操作をし、ＰＯＳ端末５０に購入意思の確認操作した商品情報および信用情報を送信し、送信された商品情報および信用情報をＰＯＳ端末５０より選択されたクレジット会社６０に送信し、商品情報および信用情報を受信したクレジット会社６０が商品５２の購入が可能か否かの信用情報の審査をすることにより商品の販売が許可されたことを確認した後に販売処理許可情報がクレジット会社６０からＰＯＳ端末５０に送信され、ＰＯＳ端末５０から送信された販売処理許可情報は移動体通信機器２０にも送信されて移動体通信機器の表示部３２に販売処理許可情報が表示され、ＰＯＳ端末５０の販売許可処理に基づき販売されたＩＣタグの付いた商品を販売店外に持ち出し許可処理する機能を備えたものである。
【００５３】
上記構成によれば、ＩＣタグ読取り機能付き移動体通信機器２０さえ所有していれば、商品５２の商品情報をＩＣタグ読取り機能付き移動体通信機器２０に読み取らせ、読み取った商品情報等を基に、クレジット会社６０の信用情報の審査が受けられ、商品５２の購入を容易に行うことができる。
【図面の簡単な説明】
【００５４】
【図１】本実施例における料金支払いシステムを示す概略図である。
【図２】本実施例におけるＩＣタグ読取り機能付き移動体通信機器を示す構成図である。
【図３】本実施例における販売店等を示す概略図である。
【図４】本実施例における料金支払方法を示すフローチャート図である。
【符号の説明】
【００５５】
１０  ＩＣタグ
１０ａ  ＩＣチップ
２０  ＩＣタグ読取り機能付き移動体通信機器
３０  ＩＣチップ読取部
３２  表示部
３３  操作部
５０  ＰＯＳ端末
５２  商品
６０  クレジット会社
【図１】
2005092313.tif 000003
【図２】
2005092313.tif 000004
【図３】
2005092313.tif 000005
【図４】
2005092313.tif 000006